(57)【特許請求の範囲】
【請求項１】
シート状のブランクにより形成された包装箱であって、
箱本体部（１）と蓋部（７０）とを有し、
箱本体部が、
正面側の辺部と背面側の辺部と右側面側の辺部と左側面側の辺部とを有する底面部（１０）と、
底面部の正面側の辺部に沿って形成された正面部（２０ｂ）と、
底面部の右側面側の辺部に沿って形成された右側面部（２０ａ）と、
底面部の左側面側の辺部に沿って形成された左側面部（２０ｃ）と、
底面部の背面側の辺部に沿って形成された背面部（２０ｄ）と、を有し、
正面部が、
底面部から折れ線を介して連設された外側板部（２２ｂ）と、
外側板部と平行に外側板部の内側に形成された内側板部（２６ｂ）と、
内側板部の下端から連設され、底面部の上面に沿って設けられた底フラップ（４０ｂ）とを有し、
外側板部は、底面部から連設された外側板部本体部（６０）と、外側板部本体部に対して回動する回動片部（５０）とを有し、
外側板部本体部は、下方に向けて開口した第１切欠部（Ｋ１０）を有し、
回動片部は、第１切欠部内に設けられ、回動片部の上端の辺部が左右方向に形成された折れ線（Ｃ２０）を介して外側板部本体部と連設され、
回動片部の下方には、第１切欠きの一部をなす第２切欠部（Ｋ２０）が形成され、該第２切欠部と底面部の正面側の端辺とにより第１開口部（Ｐ１）が形成され、
蓋部が、
背面部から連設され、包装箱の閉状態において、箱本体部の上面を覆う蓋本体部（７２）と、
蓋本体部の背面部とは反対側の辺部から折れ線を介して連設され、包装箱の閉状態において、正面部の正面側に配置される蓋正面部（７４）と、
蓋正面部の蓋本体部とは反対側の辺部から折れ線を介して連設された差込み片部（８０）とを有し、
蓋正面部の先端側領域から差込み片部の基端側領域に第２開口部（Ｐ２）が形成され、
差込み片部を底面部の内側の面に沿って第１開口部に挿入し、差込み片部を蓋正面部が外側板部に沿った状態となるまで挿入することにより、包装箱が閉状態でロックされ、
包装箱が閉状態でロックされた状態では、差込み片部が底面部と底フラップの間の位置に挿入され、回動片部の下端が第２開口部の蓋正面部における上端よりも下方に突出し、
包装箱が閉状態でロックされた状態からロックを解除する際には、第２開口部から回動片部の下端に指を係止し、回動片部を外側板部本体部との間の折れ線を介して正面斜め上方に回動させることにより、回動片部により蓋正面部が押されて蓋正面部が蓋本体部に対して回動し、蓋正面部が回動することにより差込み片部が第１開口部から引き出されることを特徴とする包装箱。
【請求項２】
底面部の正面側の端辺の少なくとも一部は窪んだ形状に形成することにより第３切欠部（１４）が形成され、包装箱が閉状態でロックされた状態では、正面視において、第２開口部から回動片部の下端が視認可能であり、回動片部における第２開口部から正面視において視認可能な領域の少なくとも一部の下方に該第３切欠部が配置されていることを特徴とする請求項１に記載の包装箱。
【請求項３】
回動片部は、外側板部本体部から連設された回動片部本体部（５２）と、回動片部本体部の下端から下方に突出して形成された突状部（５４）とを有し、突状部の少なくとも一部が、包装箱が閉状態でロックされた状態において、正面視において、第２開口部から視認可能であり、該突状部の下方に第３切欠部が配置されていることを特徴とする請求項２に記載の包装箱。
【請求項４】
底面部の正面側の端辺における第３切欠部の両側に、底面部と外側板部本体部間の折れ線よりも正面側に突出した底面部突状部（１２ａ、１２ｂ）が設けられていることを特徴とする請求項２又は３に記載の包装箱。
【請求項５】
回動片部が、外側板部本体部との間の折れ線の左側の端部よりも左側面側に突出した第１突出部（５０Ａ）と、外側板部本体部との間の折れ線の右側の端部よりも右側面側に突出した第２突出部（５０Ｂ）とを有することを特徴とする請求項１又は２又は３又は４に記載の包装箱。
【請求項６】
正面部における外側板部の上辺と内側板部の上辺の間には、帯状の縁板部（２４ｂ）が形成されていることを特徴とする請求項１又は２又は３又は４又は５に記載の包装箱。
【請求項７】
シート状のブランクにより形成された包装箱であって、
箱本体部（１）と蓋部（７０）とを有し、
箱本体部が、
正面側の辺部と、正面側の辺部と平行な背面側の辺部と、正面側の辺部及び背面側の辺部に対して直角をなす右側面側の辺部及び左側面側の辺部とを有する底面部（１０）と、
底面部の正面側の辺部に沿って形成された正面部（２０ｂ）と、
底面部の右側面側の辺部に沿って形成された右側面部（２０ａ）と、
底面部の左側面側の辺部に沿って形成された左側面部（２０ｃ）と、
底面部の背面側の辺部に沿って形成された背面部（２０ｄ）と、を有し、
正面部が、
底面部から折れ線を介して連設された外側板部（２２ｂ）と、
外側板部の上辺から連設され、外側板部の上辺に沿って帯状に形成された縁板部（２４ｂ）と、
縁板部の外側板部とは反対側の辺部から連設され、外側板部と平行に外側板部の内側に形成された内側板部（２６ｂ）と、
内側板部の下端から連設され、底面部の上面に沿って設けられた底フラップ（４０ｂ）とを有し、
外側板部は、底面部から連設された外側板部本体部（６０）と、外側板部本体部に対して回動する回動片部（５０）とを有し、
外側板部本体部は、下方に向けて開口した第１切欠部（Ｋ１０）を有し、
回動片部は、第１切欠部内に設けられ、回動片部の上端の辺部が左右方向に形成された折れ線（Ｃ２０）を介して外側板部本体部と連設され、回動片部は、外側板部本体部から連設された回動片部本体部（５２）と、回動片部本体部の下端から下方に突出して形成された突状部（５４）とを有し、回動片部本体部が、外側板部本体部との間の折れ線の左側の端部よりも左側面側に突出した第１突出部（５０Ａ）と、外側板部本体部との間の折れ線の右側の端部よりも右側面側に突出した第２突出部（５０Ｂ）とを有し、
回動片部の下方には、第１切欠きの一部をなす第２切欠部（Ｋ２０）が形成され、該第２切欠部と底面部の正面側の端辺（１０ｂ〜１０ｆ）とにより第１開口部（Ｐ１）が形成され、底面部の正面側の端辺の少なくとも一部は窪んだ形状に形成することにより第３切欠部（１４）が形成され、
底面部の正面側の端辺における第３切欠部の両側に、底面部と外側板部本体部間の折れ線よりも正面側に突出した底面部突状部（１２ａ、１２ｂ）が設けられ、
蓋部が、
背面部から連設され、包装箱の閉状態において、箱本体部の上面を覆う蓋本体部（７２）と、
蓋本体部の背面部とは反対側の辺部から折れ線を介して連設され、包装箱の閉状態において、正面部の正面側に配置される蓋正面部（７４）と、
蓋正面部の蓋本体部とは反対側の辺部から折れ線を介して連設された差込み片部（８０）とを有し、
蓋正面部の先端側領域から差込み片部の基端側領域に第２開口部（Ｐ２）が形成され、
差込み片部を底面部の内側の面に沿って第１開口部に挿入し、差込み片部を蓋正面部が外側板部に沿った状態となるまで挿入することにより、包装箱が閉状態でロックされ、
包装箱が閉状態でロックされた状態では、差込み片部が底面部と底フラップの間の位置に挿入され、回動片部の突状部の少なくとも一部が第２開口部の蓋正面部における上端よりも下方に突出して、正面視において、第２開口部から突状部の少なくとも一部が視認可能で、回動片部における突状部の下方に第３切欠部が配置され、
包装箱が閉状態でロックされた状態からロックを解除する際には、第２開口部から回動片部の下端に指を係止し、回動片部を本体部との間の折れ線を介して正面斜め上方に回動させることにより、回動片部により蓋正面部が押されて蓋正面部が蓋本体部に対して回動し、蓋正面部が回動することにより差込み片部が第１開口部から引き出されることを特徴とする包装箱。
【請求項８】
底面部の右側面側の辺部から連設された右外側板部（２２ａ）と、右外側板部の底面部とは反対側の辺部から連設された帯状の右縁板部（２４ａ）と、右縁板部の外側板部とは反対側の辺部から連設された右内側板部（２６ａ）と、右内側板部の右縁板部とは反対側の辺部から連設された右底フラップ（４０ａ）と、右外側板部の正面側の辺部から連設された右第１延設フラップ（３２ａ）と、右内側板部の正面側の辺部から連設された右第２延設フラップ（３４ａ）とが設けられ、
底面部の左側面側の辺部から連設された左外側板部（２２ｃ）と、左外側板部の底面部とは反対側の辺部から連設された帯状の左縁板部（２４ｃ）と、左縁板部の外側板部とは反対側の辺部から連設された左内側板部（２６ｃ）と、左内側板部の左縁板部とは反対側の辺部から連設された左底フラップ（４０ｃ）と、左外側板部の正面側の辺部から連設された左第１延設フラップ（３２ｃ）と、左内側板部の正面側の辺部から連設された左第２延設フラップ（３４ｃ）とが設けられ、
背面部の右側面側の辺部から連設された右第３延設フラップ（２２ｄ、２４ｄ）と、背面部の左側面側の辺部から連設された左第３延設フラップ（２６ｄ、２８ｄ）とが設けられ、
包装箱の組立て状態において、右第３延設フラップは、右外側板部と右内側板部間に挟まれるとともに、左第３延設フラップは、外側板部と左内側板部間に挟まれ、右第１延設フラップと右第２延設フラップと左第１延設フラップと左第２延設フラップとは、正面部における外側板部と内側板部間に挟まれ、右外側板部と右縁板部と右内側板部が右側面部を構成し、左外側板部と左縁板部と左内側板部が左側面部を構成することを特徴とする請求項１又は２又は３又は４又は５又は６又は７に記載の包装箱。
【発明の詳細な説明】
【技術分野】
【０００１】
本発明は、包装箱に関するものであり、特に、閉蓋状態でロックする差込み片部の引出しを容易として開蓋を容易とする包装箱に関するものである。
【背景技術】
【０００２】
従来より、蓋部から連設された蓋正面部の先端に設けられた差込み片部を本体部の正面部と底面部の境界位置に差し込んで、閉蓋状態でロックさせる包装箱として、図１１〜図１３に示す構成のものが存在する。
【０００３】
すなわち、図１１〜図１３に示す包装箱Ｂは、箱本体部１０１と、箱本体部１０１に対して開閉する蓋部１７０とを有し、箱本体部１０１は、底面部１１０と、右側面部１２０ａと、正面部１２０ｂと、左側面部１２０ｃと、背面部１２０ｄとを有し、蓋部１７０は、背面部１２０ｄから連設された蓋本体部１７２と、蓋正面部１７４と、差込み片部１８０とを有している。
【０００４】
包装箱Ｂを構成するブランクは、図１２に示すように構成され、箱本体部１０１は、底面部１１０の右側面側の辺部から形成された右側面側構成部Ａ１と、底面部１１０の正面側の辺部から形成された正面側構成部Ａ２と、底面部１１０の左側面側の辺部から形成された左側面側構成部Ａ３と、底面部１１０の背面側の辺部から形成された背面側構成部Ａ４とから構成され、右側面側構成部Ａ１は、外側板部１２２ａと、縁板部１２４ａと、内側板部１２６ａと、底フラップ１４０ａと、延設フラップ１３０ａ、１３２ａとを有し、正面側構成部Ａ２は、外側板部１２２ｂと、縁板部１２４ｂと、内側板部１２６ｂと、底フラップ１４０ｂとを有し、左側面側構成部Ａ３は、外側板部１２２ｃと、縁板部１２４ｃと、内側板部１２６ｃと、底フラップ１４０ｃと、延設フラップ１３０ｃ、１３２ｃとを有し、背面側構成部Ａ４は、背面部１２０ｄと、延設フラップ１２２ｄ、１２４ｄ、１２６ｄ、１２８ｄとを有している。
【０００５】
包装箱Ｂが組み立てられた状態では、外側板部１２２ａと内側板部１２６ａとは互いに平行で底面部１１０に対して直角に設けられ、外側板部１２２ｂと内側板部１２６ｂとは互いに平行で底面部１１０に対して直角に設けられ、外側板部１２２ｃと内側板部１２６ｃとは互いに平行で底面部１１０に対して直角に設けられ、延設フラップ１３０ａ、１３２ａ、１３０ｃ、１３２ｃは、外側板部１２２ｂと内側板部１２６ｂ間に挟まれた状態で設けられ、延設フラップ１２２ｄと延設フラップ１２４ｄとは互いに重なった状態で、外側板部１２２ａと内側板部１２６ａ間に挟まれた状態で設けられ、延設フラップ１２６ｄ、１２８ｄとは互いに重なった状態で、外側板部１２２ｃと内側板部１２６ｃ間に挟まれた状態で設けられる。また、底フラップ１４０ａ、１４０ｂ、１４０ｃは、底面部１１０に平行に底面部１１０の上面に接した状態となる。
【０００６】
包装箱Ｂの展開状態では、底面部１１０と外側板部１２２ｂの境界領域に、半円状の開口部Ｋ１１０と、開口部Ｋ１１０の左右に連設された略鉤状の切込みＫ１１２、Ｋ１１４とにより底面部１１０には、突状部１１２ａ、１１２ｂと、突状部１１２ａと突状部１１２ｂ間に形成された半円状の切欠部１１４が設けられ、これにより、包装箱Ｂの組立て状態では、外側板部１２２ｂの下端位置に差込み片部１８０の被差込み部１２３が設けられる。
【０００７】
また、包装箱Ｂの展開状態において、蓋正面部１７４と差込み片部１８０の境界位置には、略コ字状の切込みＫ１８２が形成され、これにより、蓋正面部１７４には、突状部１８２が形成されている。
【０００８】
右側面側構成部Ａ１における延設フラップ１３０ａ、１３２ａ以外の構成と延設フラップ１２２ｄ、１２４ｄとが右側面部１２０ａを構成し、正面側構成部Ａ２と延設フラップ１３０ａ、１３２ａ、１３０ｃ、１３２ｃとが正面部１２０ｂを構成し、左側面側構成部Ａ３における延設フラップ１３０ｃ、１３２ｃ以外の構成と延設フラップ１２６ｄ、１２８ｄとが左側面部１２０ｃを構成する。
【０００９】
包装箱Ｂを閉状態でロックするには、蓋本体部１７２を箱本体部１０１に対して被せた状態とし、蓋正面部１７４を外側板部１２２ｂの正面側に案内して、差込み片部１８０を被差込み部１２３に差し込んで、蓋正面部１７４を外側板部１２２ｂに沿った状態とする。包装箱Ｂが閉状態でロックされた状態では、突状部１８２は下方に突出した状態となっている。
【００１０】
そして、閉状態でロックされた包装箱Ｂを開封するには、突状部１８２に指を引っ掛けて差込み片部１８０を被差込み部１２３から引き出してロックを解除し、その後、蓋部１７０を開状態となるように回動させる。
【００１１】
ここで、包装箱Ｂにおいては、突状部１８２の突出長さがあまり長いと、底面部１１０から下方に突出してしまうため、突状部１８２の突出長さはわずかに突出するように構成され、蓋正面部１７４と差込み片部１８０の連結強度を保つために、突状部１８２の左右方向の長さは、差込み片部１８０の左右方向の長さの半分以下に短く形成されている。
【００１２】
なお、出願人は、先行技術文献として、特許文献１に記載の包装箱を知得している。
【先行技術文献】
【特許文献】
【００１３】
【特許文献１】特開２００２−１０４３７９号公報
【発明の概要】
【発明が解決しようとする課題】
【００１４】
しかし、図１１〜図１３に示す包装箱Ｂにおいては、閉状態でロックされた包装箱Ｂを開ける際に、蓋正面部１７４の突状部１８２に指を引っ掛けて差込み片部１８０を引き出さなければならず、蓋正面部１７４においてわずかに突出した突状部１８２に指を引っ掛けるため、突状部１８２に指の力が伝わりにくく、また、突状部１８２がわずかに突出した構成であるので、突状部１８２に引っ掛けた指が滑りやすく、突状部１８２を引き出しにくく、包装箱Ｂを開封しづらいという問題があった。
【００１５】
また、突状部１８２の左右方向の長さは短く形成されているので、差込み片部１８０を被差込み部１２３から引き出す際に、差込み片部１８０を左右均等に引き出すことが難しく、差込み片部１８０が前後方向に傾斜してしまって、差込み片部１８０を引き出しにくく、包装箱Ｂを開封しづらいという問題があった。
【００１６】
そこで、本発明は、底面部と正面部と右側面部と左側面部と背面部とを有し、正面部の下端位置に被差込み部を有する箱本体部と、背面部から連設され、箱本体部に対して開閉する蓋部とを有し、蓋部が、背面部から連設され箱本体部の上面を覆う蓋本体部と、蓋本体部の先端から連設された蓋正面部と、蓋正面部の先端から連設された差込み片部とを有する包装箱において、差込み片部が被差込み部に差し込まれて包装箱が閉状態でロックされた状態から容易に開状態とすることができる包装箱を提供することを目的とするものである。
【課題を解決するための手段】
【００１７】
本発明は上記問題点を解決するために創作されたものであって、第１には、シート状のブランクにより形成された包装箱であって、箱本体部（１）と蓋部（７０）とを有し、箱本体部が、正面側の辺部と背面側の辺部と右側面側の辺部と左側面側の辺部とを有する底面部（１０）（「正面側の辺部と、正面側の辺部と平行な背面側の辺部と、正面側の辺部及び背面側の辺部に対して直角をなす右側面側の辺部及び左側面側の辺部とを有する底面部（１０）」としてもよい）と、底面部の正面側の辺部に沿って形成された正面部（２０ｂ）と、底面部の右側面側の辺部に沿って形成された右側面部（２０ａ）と、底面部の左側面側の辺部に沿って形成された左側面部（２０ｃ）と、底面部の背面側の辺部に沿って形成された背面部（２０ｄ）と、を有し、正面部が、底面部から折れ線を介して連設された外側板部（２２ｂ）と、外側板部と平行に外側板部の内側に形成された内側板部（２６ｂ）と、内側板部の下端から連設され、底面部の上面に沿って設けられた底フラップ（４０ｂ）とを有し、外側板部は、底面部から連設された外側板部本体部（６０）と、外側板部本体部に対して回動する回動片部（５０）とを有し、外側板部本体部は、下方に向けて開口した第１切欠部（Ｋ１０）を有し、回動片部は、第１切欠部内に設けられ、回動片部の上端の辺部が左右方向に形成された折れ線（Ｃ２０）を介して外側板部本体部と連設され、回動片部の下方には、第１切欠きの一部をなす第２切欠部（Ｋ２０）が形成され、該第２切欠部と底面部の正面側の端辺（１０ｂ〜１０ｆ）とにより第１開口部（Ｐ１）が形成され、蓋部が、背面部から連設され、包装箱の閉状態において、箱本体部の上面を覆う蓋本体部（７２）と、蓋本体部の背面部とは反対側の辺部から折れ線を介して連設され、包装箱の閉状態において、正面部の正面側に配置される蓋正面部（７４）と、蓋正面部の蓋本体部とは反対側の辺部から折れ線を介して連設された差込み片部（８０）とを有し、蓋正面部の先端側領域から差込み片部の基端側領域に第２開口部（Ｐ２）が形成され、差込み片部を底面部の内側の面に沿って第１開口部に挿入し、差込み片部を蓋正面部が外側板部に沿った状態となるまで挿入することにより、包装箱が閉状態でロックされ、包装箱が閉状態でロックされた状態では、差込み片部が底面部と底フラップの間の位置に挿入され、回動片部の下端が第２開口部の蓋正面部における上端よりも下方に突出し、包装箱が閉状態でロックされた状態からロックを解除する際には、第２開口部から回動片部の下端に指を係止し、回動片部を外側板部本体部との間の折れ線を介して正面斜め上方に回動させることにより、回動片部により蓋正面部が押されて蓋正面部が蓋本体部に対して回動し、蓋正面部が回動することにより差込み片部が第１開口部から引き出されることを特徴とする。
【００１８】
第１の構成の包装箱においては、回動片部の下端に指を係止して、回動片部を回動させるのみで、差込み片部を第１開口部から引き出すことができるので、包装箱が閉状態でロックされた状態から容易に開状態とすることができる。
【００１９】
なお、上記第１の構成において、回動片部は、外側板部における左右方向の略中央位置に設けられているものとするのが好ましい。
【００２０】
また、第２には、上記第１の構成において、底面部の正面側の端辺の少なくとも一部は窪んだ形状に形成することにより第３切欠部（１４）が形成され、包装箱が閉状態でロックされた状態では、正面視において、第２開口部から回動片部の下端が視認可能であり、回動片部における第２開口部から正面視において視認可能な領域の少なくとも一部の下方に該第３切欠部が配置されていることを特徴とする。
【００２１】
また、第３には、上記第２の構成において、回動片部は、外側板部本体部から連設された回動片部本体部（５２）と、回動片部本体部の下端から下方に突出して形成された突状部（５４）とを有し、突状部の少なくとも一部が、包装箱が閉状態でロックされた状態において、正面視において、第２開口部から視認可能であり、該突状部の下方に第３切欠部が配置されていることを特徴とする請求項１又は２に記載の包装箱。
【００２２】
よって、閉状態でロックされた包装箱を開ける際に、突状部に指を係止させやすくすることができる。
【００２３】
また、第４には、上記第２又は第３の構成において、底面部の正面側の端辺における第３切欠部の両側に、底面部と外側板部本体部間の折れ線よりも正面側に突出した底面部突状部（１２ａ、１２ｂ）が設けられていることを特徴とする。
【００２４】
よって、差込み片部を第１開口部に挿入する際のガイドとすることができ、差込み片部を第１開口部に挿入させやすい。
【００２５】
また、第５には、上記第１から第４までのいずれかの構成において、回動片部が、外側板部本体部との間の折れ線の左側の端部よりも左側面側に突出した第１突出部（５０Ａ）と、外側板部本体部との間の折れ線の右側の端部よりも右側面側に突出した第２突出部（５０Ｂ）とを有することを特徴とする。
【００２６】
よって、回動片部は全体に左右方向に横長に形成されるので、回動片部を回動させることにより、左右方向に広い範囲にわたって蓋正面部を内側から押すことができ、差込み片部を円滑に引き出すことができる。
【００２７】
また、第６には、上記第１から第５までのいずれかの構成において、正面部における外側板部の上辺と内側板部の上辺の間には、帯状の縁板部（２４ｂ）が形成されていることを特徴とする。
【００２８】
また、第７には、シート状のブランクにより形成された包装箱であって、箱本体部（１）と蓋部（７０）とを有し、箱本体部が、正面側の辺部と、正面側の辺部と平行な背面側の辺部と、正面側の辺部及び背面側の辺部に対して直角をなす右側面側の辺部及び左側面側の辺部とを有する底面部（１０）と、底面部の正面側の辺部に沿って形成された正面部（２０ｂ）と、底面部の右側面側の辺部に沿って形成された右側面部（２０ａ）と、底面部の左側面側の辺部に沿って形成された左側面部（２０ｃ）と、底面部の背面側の辺部に沿って形成された背面部（２０ｄ）と、を有し、正面部が、底面部から折れ線を介して連設された外側板部（２２ｂ）と、外側板部の上辺から連設され、外側板部の上辺に沿って帯状に形成された縁板部（２４ｂ）と、縁板部の外側板部とは反対側の辺部から連設され、外側板部と平行に外側板部の内側に形成された内側板部（２６ｂ）と、内側板部の下端から連設され、底面部の上面に沿って設けられた底フラップ（４０ｂ）とを有し、外側板部は、底面部から連設された外側板部本体部（６０）と、外側板部本体部に対して回動する回動片部（５０）とを有し、外側板部本体部は、下方に向けて開口した第１切欠部（Ｋ１０）を有し、回動片部は、第１切欠部内に設けられ、回動片部の上端の辺部が左右方向に形成された折れ線（Ｃ２０）を介して外側板部本体部と連設され、回動片部は、外側板部本体部から連設された回動片部本体部（５２）と、回動片部本体部の下端から下方に突出して形成された突状部（５４）とを有し、回動片部本体部が、外側板部本体部との間の折れ線の左側の端部よりも左側面側に突出した第１突出部（５０Ａ）と、外側板部本体部との間の折れ線の右側の端部よりも右側面側に突出した第２突出部（５０Ｂ）とを有し、回動片部の下方には、第１切欠きの一部をなす第２切欠部（Ｋ２０）が形成され、該第２切欠部と底面部の正面側の端辺（１０ｂ〜１０ｆ）とにより第１開口部（Ｐ１）が形成され、底面部の正面側の端辺の少なくとも一部は窪んだ形状に形成することにより第３切欠部（１４）が形成され、底面部の正面側の端辺における第３切欠部の両側に、底面部と外側板部本体部間の折れ線よりも正面側に突出した底面部突状部（１２ａ、１２ｂ）が設けられ、蓋部が、背面部から連設され、包装箱の閉状態において、箱本体部の上面を覆う蓋本体部（７２）と、蓋本体部の背面部とは反対側の辺部から折れ線を介して連設され、包装箱の閉状態において、正面部の正面側に配置される蓋正面部（７４）と、蓋正面部の蓋本体部とは反対側の辺部から折れ線を介して連設された差込み片部（８０）とを有し、蓋正面部の先端側領域から差込み片部の基端側領域に第２開口部（Ｐ２）が形成され、差込み片部を底面部の内側の面に沿って第１開口部に挿入し、差込み片部を蓋正面部が外側板部に沿った状態となるまで挿入することにより、包装箱が閉状態でロックされ、包装箱が閉状態でロックされた状態では、差込み片部が底面部と底フラップの間の位置に挿入され、回動片部の突状部の少なくとも一部が第２開口部の蓋正面部における上端よりも下方に突出して、正面視において、第２開口部から突状部の少なくとも一部が視認可能で、回動片部における突状部の下方に第３切欠部が配置され、包装箱が閉状態でロックされた状態からロックを解除する際には、第２開口部から回動片部の下端に指を係止し、回動片部を本体部との間の折れ線を介して正面斜め上方に回動させることにより、回動片部により蓋正面部が押されて蓋正面部が蓋本体部に対して回動し、蓋正面部が回動することにより差込み片部が第１開口部から引き出されることを特徴とする。
【００２９】
第７の構成の包装箱においては、回動片部の下端に指を係止して、回動片部を回動させるのみで、差込み片部を第１開口部から引き出すことができるので、包装箱が閉状態でロックされた状態から容易に開状態とすることができる。
【００３０】
また、底面部の正面側の端辺の少なくとも一部は窪んだ形状に形成することにより第３切欠部（１４）が形成され、包装箱が閉状態でロックされた状態では、回動片部の突状部の少なくとも一部が第２開口部の蓋正面部における上端よりも下方に突出して、正面視において、第２開口部から突状部の少なくとも一部が視認可能で、回動片部における突状部の下方に第３切欠部が配置されているので、閉状態でロックされた包装箱を開ける際に、突状部に指を係止させやすくすることができる。
【００３１】
また、回動片部本体部が、外側板部本体部との間の折れ線の左側の端部よりも左側面側に突出した第１突出部（５０Ａ）と、外側板部本体部との間の折れ線の右側の端部よりも右側面側に突出した第２突出部（５０Ｂ）とを有しているので、回動片部は全体に左右方向に横長に形成されるので、回動片部を回動させることにより、左右方向に広い範囲にわたって蓋正面部を内側から押すことができ、差込み片部を円滑に引き出すことができる。
【００３２】
また、底面部と外側板部本体部間の折れ線よりも正面側に突出した底面部突状部（１２ａ、１２ｂ）が設けられているので、差込み片部を第１開口部に挿入する際のガイドとすることができ、差込み片部を第１開口部に挿入させやすい。
【００３３】
また、第８には、上記第１から第７までのいずれかの構成において、底面部の右側面側の辺部から連設された右外側板部（２２ａ）と、右外側板部の底面部とは反対側の辺部から連設された帯状の右縁板部（２４ａ）と、右縁板部の外側板部とは反対側の辺部から連設された右内側板部（２６ａ）と、右内側板部の右縁板部とは反対側の辺部から連設された右底フラップ（４０ａ）と、右外側板部の正面側の辺部から連設された右第１延設フラップ（３２ａ）と、右内側板部の正面側の辺部から連設された右第２延設フラップ（３４ａ）とが設けられ、底面部の左側面側の辺部から連設された左外側板部（２２ｃ）と、左外側板部の底面部とは反対側の辺部から連設された帯状の左縁板部（２４ｃ）と、左縁板部の外側板部とは反対側の辺部から連設された左内側板部（２６ｃ）と、左内側板部の左縁板部とは反対側の辺部から連設された左底フラップ（４０ｃ）と、左外側板部の正面側の辺部から連設された左第１延設フラップ（３２ｃ）と、左内側板部の正面側の辺部から連設された左第２延設フラップ（３４ｃ）とが設けられ、背面部の右側面側の辺部から連設された右第３延設フラップ（２２ｄ、２４ｄ）と、背面部の左側面側の辺部から連設された左第３延設フラップ（２６ｄ、２８ｄ）とが設けられ、包装箱の組立て状態において、右第３延設フラップは、（互いに平行な）右外側板部と右内側板部間に挟まれるとともに、左第３延設フラップは、（互いに平行な）左外側板部と左内側板部間に挟まれ、右第１延設フラップと右第２延設フラップと左第１延設フラップと左第２延設フラップとは、正面部における（互いに平行な）外側板部と内側板部間に挟まれ、右外側板部と右縁板部と右内側板部が右側面部を構成し、左外側板部と左縁板部と左内側板部が左側面部を構成することを特徴とする。
【発明の効果】
【００３４】
本発明に基づく包装箱によれば、回動片部の下端に指を係止して、回動片部を回動させるのみで、差込み片部を第１開口部から引き出すことができるので、包装箱が閉状態でロックされた状態から容易に開状態とすることができる。
【図面の簡単な説明】
【００３５】
【図１】包装箱の上方斜視図である。
【図２】包装箱の上方斜視図である。
【図３】包装箱の下方斜視図である。
【図４】包装箱を閉状態でロックした状態の上方斜視図である。
【図５】包装箱を閉状態でロックした状態を正面斜め下方から視認した要部拡大図である。
【図６】包装箱の展開図である。
【図７】図６の要部拡大図である。
【図８】図６の要部拡大図である。
【図９】包装箱の使用状態を示す斜視図である。
【図１０】包装箱の使用状態を示す斜視図である。
【図１１】従来における包装箱の上方斜視図である。
【図１２】従来における包装箱の展開図である。
【図１３】従来における包装箱を閉状態でロックした状態を正面斜め下方から視認した要部拡大図である。
【発明を実施するための形態】
【００３６】
本発明においては、底面部と正面部と右側面部と左側面部と背面部とを有し、正面部の下端位置に被差込み部を有する箱本体部と、背面部から連設され、箱本体部に対して開閉する蓋部とを有し、蓋部が、背面部から連設され箱本体部の上面を覆う蓋本体部と、蓋本体部の先端から連設された蓋正面部と、蓋正面部の先端から連設された差込み片部とを有する包装箱において、差込み片部が被差込み部に差し込まれて包装箱が閉状態でロックされた状態から容易に開状態とすることができる包装箱を提供するという目的を以下のようにして実現した。
【００３７】
本発明に基づく箱Ａは、図１〜図８に示すように構成され、箱本体部１と、箱本体部１に対して開閉する蓋部７０とを有している。
【００３８】
箱本体部１は、底面部１０と、右側面部２０ａと、正面部２０ｂと、左側面部２０ｃと、背面部２０ｄとを有し、蓋部７０は、背面部２０ｄから連設された蓋本体部７２と、蓋正面部７４と、差込み片部８０とを有している。
【００３９】
包装箱Ａの詳細について、展開状態を示す図６〜図８を主として利用して説明する。包装箱Ａは、図６に示す展開状態の１枚のシート状のブランク（具体的には、段ボール製（例えば、薄型段ボール製）のブランクであり、厚紙製のブランク等の他の紙製のブランクでもよい）を組み立てることにより形成されている。つまり、包装箱Ａは、段ボール材（特に、両面段ボール材）等の紙製の箱である。段ボールにおける断面略波形形状の中芯の段の方向は、図６における円内に示す方向（Ｙ１−Ｙ２方向）となっている。なお、図面において、Ｙ１−Ｙ２方向は、Ｘ１−Ｘ２方向に直角な方向である。
【００４０】
まず、底面部１０は、箱の底面を構成する部材であり、略方形状の板状に形成されている。
【００４１】
すなわち、底面部１０の正面側の辺部には、外側板部２２ｂとの折れ線Ｃ１０ａ、Ｃ１０ｂ間に左右方向に間隔を介して形成された突状部１２ａ、１２ｂと、突状部１２ａと突状部１２ｂ間に形成された切欠部１４とが設けられている。折れ線Ｃ１０ａと折れ線Ｃ１０ｂとは同一直線状に形成されている。
【００４２】
すなわち、突状部１２ａ、１２ｂと切欠部１４とは、折れ線Ｃ１０ａに対して略直角で、右側面側に向けて若干傾斜して形成された直線状の辺部１０ａと、辺部１０ａから連設され、折れ線Ｃ１０ａの方向と平行に形成された直線状の辺部１０ｂと、辺部１０ｂから連設され、背面側に向けて折れ線Ｃ１０ａ、Ｃ１０ｂの方向に対して傾斜して形成された直線状の辺部１０ｃと、辺部１０ｃから連設され、略円弧状に形成された辺部１０ｄと、辺部１０ｄから連設され、正面側に向けて折れ線Ｃ１０ａ、Ｃ１０ｂの方向に対して傾斜して形成された直線状の辺部１０ｅと、辺部１０ｅから連設され、折れ線Ｃ１０ｂの方向と平行に形成された直線状の辺部１０ｆと、辺部１０ｆから連設され、折れ線Ｃ１０ｂに対して略直角で、左側面側に向けて若干傾斜して形成された直線状の辺部１０ｇとから形成され、辺部１０ａ、１０ｂにより突状部１２ａが形成され、辺部１０ｆ、１０ｇにより突状部１２ｂが形成され、辺部１０ｃ、１０ｄ、１０ｅにより切欠部１４が形成されている。なお、切欠部１４の左右方向の長さは、回動片部５０の突状部５４の左右方向の長さよりも長く形成され、包装箱Ａが閉状態でロックされた状態（後述）では、突状部５４（特に、包装箱Ａが閉状態でロックされた状態で、少なくとも突状部５４における領域で、突状部５４における正面視において開口部Ｐ２から視認可能な領域）の下方に切欠部１４が配置されている。これにより、突状部５４の下方が広く開放され、突状部５４に対して下方から指を掛止しやすくなっている。
【００４３】
また、突状部１２ａ、１２ｂが形成されているので、差込み片部８０を開口部Ｐ１（後述）に挿入する際のガイドとすることができ、差込み片部８０を開口部Ｐ１に挿入させやすい。
【００４４】
なお、辺部１０ａと辺部１０ｂ間、辺部１０ｂと辺部１０ｃ間、辺部１０ｅと辺部１０ｆ間、辺部１０ｆと辺部１０ｇ間には各辺部の端部になだらかに接続するようにアールが形成されている。また、辺部１０ａの背面側の部分は、切込みＫ５を形成することにより形成され、辺部１０ｇの背面側の部分は、切込みＫ６を形成することにより形成されている。
【００４５】
辺部１０ｂ〜１０ｆが、開口部Ｐ１を構成するための底面部１０の正面部側の端辺となる。つまり、辺部１０ｂ〜１０ｆと切欠部Ｋ２０とにより開口部Ｐ１が構成される。
【００４６】
また、底面部１０の右側面側の辺部に沿って、外側板部２２ａの底面部１０側の辺部とともに、細長長方形状の開口部１６ｃ、１６ｄが前後方向に間隔を介して形成され、また、底面部１０の左側面側の辺部に沿って、外側板部２２ｃの底面部１０側の辺部とともに、細長長方形状の開口部１６ａ、１６ｂが前後方向に間隔を介して形成されている。包装箱Ａの組立て状態において、突状部２６ａ−１、２６ａ−２が開口部１６ｃ、１６ｄに係合し、突状部２６ｃ−１、２６ｃ−２が開口部１６ａ、１６ｂに係合する。
【００４７】
また、底面部１０のＸ２側（右側面側）の辺部からは折れ線を介して外側板部（第２外側板部）２２ａが連設されている。この外側板部２２ａは、略長方形状を呈し、前後方向（Ｙ１−Ｙ２方向）には底面部１０と同じ幅を有している。この外側板部２２ａの正面側の辺部には、延設フラップ（第１延設フラップ）３２ａが折れ線を介して連設されている。すなわち、外側板部２２ａのＹ２側の辺部からは折れ線を介して延設フラップ３２ａが形成されている。この延設フラップ３２ａは、方形状の先端の角部の一方にアールを形成するとともに、角部の他方に台形形状の切欠部を形成した形状を呈している。なお、延設フラップ３２ａは、外側板部２２ｂと分離した構成であり（つまり、外側板部２２ｂとは連設されておらず、切込みにより区画されている）。
【００４８】
また、外側板部２２ａの底面部１０側とは反対側の辺部からは縁板部（第２縁板部）２４ａが折れ線を介して連設されている。この縁板部２４ａは、幅狭の帯状を呈し、組立て状態では、側壁部２０ａの上端部分を構成する。この縁板部２４ａの長手方向の長さは、外側板部２２ａの長手方向の長さと同一（略同一としてもよい）に形成されている。
【００４９】
また、縁板部２４ａの外側板部２２ａ側とは反対側の辺部からは内側板部（第２内側板部）２６ａが折れ線を介して連設されている。この内側板部２６ａは、略方形状を呈し、その幅（つまり、Ｘ１−Ｘ２方向の幅（組立て状態における高さ方向の幅））は、外側板部２２ａの幅（つまり、Ｘ１−Ｘ２方向の幅（組立て状態における高さ方向の幅））と同じか又は底面部１０の厚みを考慮して、外側板部２２ａの幅よりも若干小さく形成されている。また、内側板部２６ａの長手方向の長さ（つまりＹ１−Ｙ２方向の長さ）は、外側板部２２ａの長手方向の長さや縁板部２４ａの長手方向の長さよりも若干短く形成されている。
【００５０】
内側板部２６ａは、略細長の長方形状を呈し、長方形状に２つの突状部と３つの切欠部を形成した形状を呈している。つまり、縁板部２４ａとは反対側の辺部側には、底フラップ４０ａとの境界に略コ字状の切込みＪ１、Ｊ２を形成することにより形成された突状部２６ａ−１、２６ａ−２が設けられている。突状部２６ａ−１と突状部２６ａ−２は、略細長台形形状を呈し、内側板部２６ａの長手方向に間隔を介して設けられている。また、内側板部２６ａには、包装箱Ａの展開状態において、底フラップ４０ａとの間で切込みＪ３を形成することにより形成された切欠部と、底フラップ４０ａとの間で切込みＪ４を形成することにより形成された切欠部と、延設フラップ３４ａとの間で切込みＪ５を形成することにより形成された切欠部とが設けられている。
【００５１】
また、内側板部２６ａの正面側の辺部には、延設フラップ（第２延設フラップ）３４ａが折れ線を介して連設されている。すなわち、内側板部２６ａのＹ２側の辺部からは折れ線を介して延設フラップ３４ａが形成されている。この延設フラップ３４ａは、長方形状の１つの角部（包装箱Ａの組立て状態において、延設フラップ３４ａの先端の上側の角部）にアールが設けられた形状を呈しており、また、この延設フラップ３４ａは、長方形状の１つの角部に該アールが設けられるとともに、組立て状態において、外側板部２２ａ側に突出する突状部３４ａ−１を内側板部２６ａの折れ線の下側に設けた形状を呈している。
【００５２】
また、内側板部２６ａの縁板部２４ａ側とは反対側の辺部からは底フラップ（第２底フラップ）４０ａが形成されている。
【００５３】
底フラップ４０ａは、内側板部２６ａの長手辺に沿って帯状に形成され、略細長長方形状を呈している。すなわち、底フラップ４０ａと内側板部２６ａ間の境界位置に沿って設けられた略コ字状の切込みＪ１、Ｊ２により、底フラップ４０ａには、略細長台形形状の切欠部が設けられている。
【００５４】
ここで、底フラップ４０ａの長手方向の長さは、内側板部２６ａの長手方向の長さよりも短く形成され、底フラップ４０ａの背面側の端部は、内側板部２６ａの背面側の端部と前後方向において同一の位置であるが、底フラップ４０ａの正面側の端部は、内側板部２６ａの正面側の端部よりも前後方向において背面側にある。
【００５５】
なお、底面部１０のＹ１側の辺部から形成された各部（すなわち、外側板部２２ａ、縁板部２４ａ、内側板部２６ａ、延設フラップ３２ａ、３４ａ、底フラップ４０ａ）は、正面側構成部（第２構成部）Ａ１を構成し、また、側壁部２０ａは、右側面側の側壁を形成するので、正面側構成部Ａ１から延設フラップ３２ａ、３４ａを除いた構成と延設フラップ２２ｄ、２４ｄにより構成されるといえる。
【００５６】
次に、底面部１０のＹ２側（正面側）の辺部からは折れ線を介して外側板部（第１外側板部）２２ｂが連設されている。この外側板部２２ｂは、略長方形状を呈し、長手方向（Ｘ１−Ｘ２方向）には底面部１０と同じ幅を有している（外側板部２２ｂのＸ１−Ｘ２方向の長さは、底面部１０のＸ１−Ｘ２方向の長さと同一である）。
【００５７】
ここで、外側板部２２ｂは、底面部１０及び縁板部２４ｂから連設された本体部６０と、本体部６０に対して回動する回動片部５０とを有している。本体部６０は、折れ線Ｃ１０を介して底面部１０から連設されている。ここで、折れ線Ｃ１０は、突状部１２ａよりも左側面側の折れ線Ｃ１０ａと突状部１２ｂよりも右側面側の折れ線Ｃ１０ｂとから形成されている。折れ線Ｃ１０は、左右方向に形成されている。
【００５８】
本体部６０には、折れ線Ｃ１０を介して下方に向けて（すなわち、底面部１０側に向けて）略台形形状の切欠部が形成され、該切欠部内に回動片部５０が配置され、回動片部５０の上辺を介して本体部６０と連設され、回動片部５０は、回動片部５０の上辺を介して回動するよう構成されている。
【００５９】
すなわち、本体部６０には、辺部１０ａと対向して形成され、左右方向に対して略直角で、右側面側に向けて若干傾斜して形成された直線状の辺部６０ａと、辺部６０ａから連設され、右側面側にいくに従い縁板部２４ｂ側となるように左右方向に対して傾斜して形成された直線状の辺部６０ｂと、辺部６０ｂから連設され、回動片部５０との間の折れ線Ｃ２０に沿って形成された辺部６０ｃと、辺部６０ｃから連設され、右側面側にいくに従い底面部１０側となるように左右方向の方向に対して傾斜して形成された直線状の辺部６０ｄと、辺部６０ｄから連設され、辺部１０ｇと対向して形成され、左右方向に対して略直角で、左側面側に向けて若干傾斜して形成された直線状の辺部６０ｅとにより形成された切欠部Ｋ１０が形成されている。すなわち、切欠部Ｋ１０は、外側板部２２ｂにおいて、回動片部５０を除いた状態において、外側板部２２ｂに形成された切欠部（下方に向けて開口した切欠部）である。辺部６０ｂの辺部６０ｃ側の端部は、辺部６０ｃ側に湾曲し、辺部６０ｄの辺部６０ｃ側の端部は辺部６０ｃ側に湾曲して形成されている。なお、底面部１０は、左右線対称に形成されている。
【００６０】
また、回動片部５０は、本体部６０の切欠部Ｋ１０内に設けられている。すなわち、回動片部５０は、本体部６０から折れ線Ｃ２０を介して連設され、回動片部５０の下端をなし、切欠部１４に対向して形成され、左右方向（折れ線Ｃ１０と平行な方向）に直線状に形成された辺部５０ａと、辺部５０ａの左側面側の端部から連設され、左側面側にいくに従い縁板部２４ｂ側となるように左右方向に対して傾斜して形成された直線状の辺部５０ｂと、辺部５０ｂの左側面側の端部から左右方向に直線状に形成された辺部５０ｃと、辺部５０ｃの左側面側の端部から連設され、右側面側にいくに従い縁板部２４ｂ側となるように左右方向に対して傾斜して形成された直線状の辺部５０ｄと、辺部５０ｄの辺部５０ｃとは反対側の端部から連設され、本体部６０との間の折れ線Ｃ２０に沿って形成された辺部５０ｅと、辺部５０ｅの右側面側の端部から連設され、右側面側にいくに従い底面部１０側となるように左右方向に対して傾斜して形成された直線状の辺部５０ｆと、辺部５０ｆの右側面側の端部から連設され、左右方向に直線状に形成され、辺部５０ｃと同一直線上に形成された辺部５０ｇと、辺部５０ｇの左側面側の端部から連設され、左側面側にいくに従い底面部１０側となるように左右方向に対して傾斜して形成された直線状の辺部５０ｈとにより囲まれて形成されている。また、回動片部５０には、辺部５０ｄの辺部５０ｅ側の端部から連設された切込みＫ３と、辺部５０ｆの辺部５０ｅ側の端部から連設された切込みＫ４とが形成され、切込みＫ３、Ｋ４は、ともに内側かつ下方に向けて湾曲して形成されている。
【００６１】
切込みＫ３、Ｋ４が設けられている理由は、切欠きＫ３、Ｋ４が設けられていないと、回動片部５０の回動を繰り返すことにより、切込みＫ１、Ｋ２の上端に掛かる力が切込みＫ１、Ｋ２の上端（折れ線Ｃ２０との接点）から上方にかかり、切込みＫ１、Ｋ２の上端から上方に破れが生じる恐れや、切込みＫ１、Ｋ２の上端に掛かる力が折れ線Ｃ２０に沿ってかかり、折れ線Ｃ２０に沿って破れが生じる恐れがあるが、切欠きＫ３、Ｋ４を設けることにより、切込みＫ１、Ｋ２の上端に掛かる力を切込みＫ１、Ｋ２の上方や折れ線Ｃ２０に沿った方向にかからないようにできるので、それらの破れを防止することができる。
【００６２】
なお、辺部６０ｃと辺部５０ｅは、折れ線Ｃ２０と一致している。また、辺部５０ｄは、切込みＫ１を介して辺部６０ｂと対向しており、辺部５０ｄは辺部６０ｂに沿って形成されている。また、辺部５０ｆは、切込みＫ２を介して辺部６０ｄと対向しており、辺部５０ｆは辺部６０ｄに沿って形成されている。なお、切欠部Ｋ１０は、外側板部２２ｂにおける左右方向の中央位置（略中央位置としてもおい）に設けられ、回動片部５０は、外側板部２２ｂにおける左右方向の中央位置（略中央位置としてもよい）に設けられている。
【００６３】
回動片部５０は以上のような形状を呈するので、回動片部５０は、折れ線Ｃ２０を介して本体部６０から連設された略台形形状の回動片部本体部５２と、回動片部本体部５２の折れ線Ｃ２０とは反対側の端部から連設され略台形形状に突出した突状部５４とを有している。
【００６４】
また、回動片部本体部５２は、折れ線Ｃ２０の左右両側の端部よりも左右両側に突出して形成され、回動片部本体部５２は、折れ線Ｃ２０の左側面側の端部よりも左側面側に突出した突出部（第１突出部）５０Ａと、折れ線Ｃ２０の右側面側の端部よりも右側面側に突出した突出部（第２突出部）５０Ｂを有し、これにより、全体に左右方向に横長に形成されている。これにより、回動片部５０を回動させることにより、左右方向に広い範囲にわたって、蓋正面部７４を内側から押すことができ、左右方向に均等に蓋正面部７４を内側から押して蓋正面部７４を蓋本体部７２に対して回動させることができ、差込み片部８０を円滑に引き出すことができる。
【００６５】
なお、折れ線Ｃ２０を介して回動片部５０が回動しやすいように、折れ線Ｃ２０に沿って間隔を介して切込みが形成されている。
【００６６】
また、外側板部２２ｂには、回動片部５０の下方に切欠部Ｋ２０（つまり、辺部６０ａ、６０ｂの一部と、辺部５０ｃと、辺部５０ｂと、辺部５０ａと、辺部５０ｈと、辺部５０ｇと、辺部６０ｅ、６０ｄの一部により形成された切欠部）が形成され（この切欠部Ｋ２０は、切欠部Ｋ１０の下側の一部を構成している）、包装箱Ａの展開状態では、底面部１０の突状部１２ａ、１２ｂを構成する辺部（辺部１０ｂ、辺部１０ｆ）と切欠部１４の辺部（辺部１０ｃ〜辺部１０ｅ）とともに開口部Ｐ１が形成されている。なお、辺部１０ｂ〜１０ｆにより底面部１０の正面側の端辺で、開口部Ｐ１を形成する端辺が形成される。
【００６７】
また、外側板部２２ｄには切欠部Ｋ２０が形成され、底面部１０には切欠部１４が形成されているので、包装箱Ａの組立て状態（すなわち、外側板部２２ｄが底面部１０に対して直角となった状態）では、突状部５４の下方に切欠部１４が存在するので、突状部５４の下方が広く開放された状態となっている。
【００６８】
なお、包装箱Ａの組立て状態においては、突状部５４の下端と底面部１０の上面との間の高さ方向の長さは、差込み片部８０の厚みよりも大きく形成され、これにより、底面部１０と底フラップ４０ｂ間の隙間に差込み片部８０を差し込むことができる。
【００６９】
また、包装箱Ａを組み立てた状態においては、回動片部５０の下端（突状部５４の下端）の高さ方向の位置は、内側板部２６ｂの下面の高さ方向の位置と一致（略一致）しており、底面部１０の上面よりは上方に位置している。
【００７０】
また、外側板部２２ｂの底面部１０側とは反対側の辺部からは縁板部（第１縁板部）２４ｂが折れ線を介して連設されている。この縁板部２４ｂは、幅狭の帯状を呈し、組立て状態では、正面部２０ｂの上端部分を構成する。この縁板部２４ｂの長手方向の長さは、外側板部２２ｂ側から内側板部２６ｂに向けて若干小さく形成されている。
【００７１】
また、縁板部２４ｂの外側板部２２ｂ側とは反対側の辺部からは内側板部（第１内側板部）２６ｂが折れ線を介して連設されている。この内側板部２６ｂは、略方形状を呈していて、左右両側の辺部の下端領域を除く領域に切欠部Ｇ２０、Ｇ２２が設けられている。つまり、切欠部Ｇ２０、Ｇ２２は、縁板部２４ｂの内側板部２６ｂ側の辺部から底フラップ４０ｂと内側板部２６ｂ間の折れ線までの途中位置まで形成され、縁板部２４ｂの内側板部２６ｂ側の辺部に対する直角方向に沿って帯状に形成されている。これにより、内側板部２６ｂの左右両側の下端には、突状部２６ｂ−１、２６ｂ−２が形成され、包装箱Ａの組立て状態において、突状部２６ｂ−２が、突状部３４ａ−１を形成することにより内側板部２６ａに形成された切欠部に係合し、突状部２６ｂ−１が、突状部３４ｃ−１を形成することにより内側板部２６ｃに形成された切欠部に係合する。
【００７２】
この内側板部２６ｂの幅（つまり、Ｙ１−Ｙ２方向の幅（組立て状態における高さ方向の幅））は、外側板部２２ｂの幅（つまり、Ｙ１−Ｙ２方向の幅（組立て状態における高さ方向の幅））と同じか又は底面部１０の厚みを考慮して、外側板部２２ｂの幅よりも若干小さく形成されている。また、内側板部２６ｂの長手方向の長さ（最大長さ）（つまりＸ１−Ｘ２方向の長さ）は、外側板部２２ｂの長手方向の長さよりも若干短く形成されている。
【００７３】
また、内側板部２６ｂの縁板部２４ｂとは反対側の辺部からは底フラップ（第１底フラップ）４０ｂが形成されている。この底フラップ４０ｂは、細長の略長方形状を呈する。この底フラップ４０ｂの先端側の辺部（内側板部２６ｂ側とは反対側の辺部）は、包装箱Ａの組立て状態では、底フラップ４０ａの正面側の辺部と底フラップ４０ｃの正面側の辺部と当接する。
【００７４】
なお、底フラップ４０ｂの幅方向の長さ（つまり、底フラップ４０ｂの基端（内側板部２６ｂ側の端部）から先端までの長さ）Ｌ３０は、差込み片部８０の基端（蓋正面部７４側の端部）から先端までの長さＬ３１よりも長く形成され、これにより、差込み片部８０を開口部Ｐ１に挿入して、包装箱Ａを閉状態でロックした際に、差込み片部８０が底フラップ４０ｂの内側の端部から露出しないようになっている。
【００７５】
なお、底面部１０のＸ２側の辺部から形成された各部（すなわち、外側板部２２ｂ、縁板部２４ｂ、内側板部２６ｂ、底フラップ４０ｂ）は、展開状態において、線対称に形成されている（すなわち、左右対称に形成されている）、底面部１０の正面側の辺部（Ｙ２側の辺部）から形成された各部により正面側構成部Ａ２が構成される。また、側壁部２０ｂは、正面側の側壁を形成するので、正面側構成部Ａ２と延設フラップ３２ａ、３４ａ、３２ｃ、３４ｃとから構成されているといえる。
【００７６】
次に、底面部１０のＸ１側（左側面側）の辺部からは折れ線を介して外側板部（第２外側板部）２２ｃが連設され、また、この外側板部２２ｃの正面側の辺部には、延設フラップ（第１延設フラップ）３２ｃが折れ線を介して連設され、また、外側板部２２ｃの底面部１０側とは反対側の辺部からは縁板部（第２縁板部）２４ｃが折れ線を介して連設され、また、縁板部２４ｃの外側板部２２ｃ側とは反対側の辺部からは内側板部（第２内側板部）２６ｃが折れ線を介して連設され、また、内側板部２６ｃの正面側の辺部には、延設フラップ（第２延設フラップ）３４ｃが折れ線を介して連設され、さらには、内側板部２６ｃの縁板部２４ｃとは反対側の辺部からは底フラップ（第２底フラップ）４０ｃが連設されているが、これらの構成は、外側板部２２ａと、延設フラップ３２ａと、縁板部２４ａと、内側板部２６ａと、延設フラップ３４ａと、底フラップ４０ａと同じ構成であるので、詳しい説明を省略する。つまり、底面部１０の左側面側（Ｘ１側）に設けられた各部材の構成は、底面部１０の右側面側（Ｘ２側）に設けられた各部材の構成と線対称（Ｙ１−Ｙ２方向の中心線を介して線対称）に形成されている。
【００７７】
なお、底面部１０のＸ１側の辺部から形成された各部（すなわち、外側板部２２ｃ、縁板部２４ｃ、内側板部２６ｃ、延設フラップ３２ｃ、３４ｃ、底フラップ４０ｃ）により左側面側構成部（第２構成部）Ａ３が構成される。また、側壁部２０ｃは、左側面側の側壁を形成するので、左側面側構成部Ａ３から延設フラップ３２ｃ、３４ｃを除いた構成と延設フラップ２６ｄ、２８ｄとにより構成されるといえる。
【００７８】
次に、底面部１０の背面側の辺部からは折れ線を介して背面部２０ｄが折れ線を介して連設されている。背面部２０ｄは、方形状（具体的には、横長長方形状）を呈し、背面部２０ｄの左右方向の長さは、底面部１０の左右方向の長さと同一であり、上下方向の長さは、外側板部２２ｂの上下方向の長さと同一（略同一としてもよい）に形成されている。
【００７９】
また、背面部２０ｄの右側面側の辺部からは、延設フラップ２２ｄが折れ線を介して連設され、さらに、延設フラップ２２ｄの包装箱Ａの組立て状態における上辺からは、折れ線を介して延設フラップ２４ｄが形成されている。延設フラップ２２ｄは、略方形状を呈し、具体的には、方形状における下側の角部（つまり、延設フラップ２２ｄの先端側における下側の角部）が面取りされた形状を呈している。また、延設フラップ２４ｄは、略方形状を呈し、方形状における２つの角部（つまり、延設フラップ２４ｄの先端側における２つの角部）にアールが形成された形状を呈している。延設フラップ２２ｄ、２４ｄは、包装箱Ａの組立て状態においては、延設フラップ２２ｄと延設フラップ２４ｄ間の折れ線を介して折曲されて、延設フラップ２２ｄと延設フラップ２４ｄが重なった状態で、外側板部２２ａと内側板部２６ａ間に挟まれた状態となる。
【００８０】
また、背面部２０ｄの左側面側の辺部からは、延設フラップ２６ｄが折れ線を介して連設され、さらに、延設フラップ２６ｄの包装箱Ａの組立て状態における上辺からは、折れ線を介して延設フラップ２８ｄが形成されている。延設フラップ２６ｄは、略方形状を呈し、具体的には、方形状における下側の角部（つまり、延設フラップ２６ｄの先端側における下側の角部）が面取りされた形状を呈している。また、延設フラップ２８ｄは、略方形状を呈し、方形状における２つの角部（つまり、延設フラップ２８ｄの先端側における２つの角部）にアールが形成された形状を呈している。包装箱Ａの展開状態において、延設フラップ２６ｄは、延設フラップ２２ｄと左右線対称に形成され、延設フラップ２８ｄは、延設フラップ２４ｄと左右線対称に形成されている。延設フラップ２６ｄ、２８ｄは、包装箱Ａの組立て状態においては、延設フラップ２６ｄと延設フラップ２８ｄ間の折れ線を介して折曲されて、延設フラップ２６ｄと延設フラップ２８ｄが重なった状態で、外側板部２２ｃと内側板部２６ｃ間に挟まれた状態となる。
【００８１】
なお、底面部１０のＹ１側の辺部から形成された各部（すなわち、背面部２０ｄ、延設フラップ２２ｄ、２４ｄ、２６ｄ、２８ｄ）により左側面側構成部（第２構成部）Ａ３が構成される。
【００８２】
また、背面部２０ｄの底面部１０とは反対側の辺部からは蓋本体部７２が折れ線を介して連設され、蓋本体部７２は、方形状を呈し、組立て状態の箱本体部１の上面を覆う大きさを有している。すなわち、蓋本体部７２の左右方向の長さは、底面部１０の左右方向の長さと同一（略同一としてもよい）であり、蓋本体部７２の左右方向に対する直角方向の長さ（Ｙ１−Ｙ２方向の長さ）は、底面部１０の前後方向の長さよりも若干長く形成されている。
【００８３】
また、蓋本体部７２の背面部２０ｄとは反対側の辺部からは蓋正面部７４が折れ線を介して連設され、蓋正面部７４は略方形状を呈している。具体的には、蓋正面部７４の先端の両側の角部にアールが形成され、さらに、先端側の辺部には、開口部Ｐ２を形成することによる切欠部（横長長方形状の切欠部）Ｐ２ａが形成されている。蓋正面部７４の左右方向の長さは、蓋本体部７２の左右方向の長さと同一であり、蓋正面部７４の左右方向に対する直角方向の長さ（最大長さ）（Ｙ１−Ｙ２方向の長さ）は、外側板部２２ｂの上下方向の長さ（左右方向に対する直角方向の長さ（Ｙ１−Ｙ２方向の長さ））と同一（略同一としてもよい）に形成されている。
【００８４】
また、差込み片部８０は、蓋正面部７４の蓋本体部７２とは反対側の辺部から折れ線を介して連設され、略方形状を呈し、横長長方形状の先端の２つの角部にアールを形成した形状を呈し、さらに、基端側の辺部には、開口部Ｐ２を形成することによる切欠部（略横長長方形状の切欠部（２つの角部にアールが形成された切欠部））Ｐ２ｂが形成されている。つまり、包装箱Ａの展開状態においては、開口部Ｐ２は、略方形状を呈し、差込み片部８０側の角部にアールが形成された長方形状を呈している。
【００８５】
この開口部Ｐ２の左右方向の長さＬ１０は、回動片部５０の突状部５４の先端の辺部５０ａの長さＬ２０よりも長く形成され、また、蓋正面部７４に形成された切欠部Ｐ２ａの左右方向と直角方向の長さＬ１１は、突状部５４の上下方向の長さと略同一に形成されている。差込み片部８０を開口部Ｐ１に差し込んだ状態では、差込み片部８０の内側の面の高さ方向の位置（つまり、切欠部Ｐ２ａの下端の高さ方向の位置ともいえる）と突状部５４の下端の高さ方向の位置とが略一致する。
【００８６】
また、切欠部Ｐ２ｂの左右方向に対する直角方向の長さＬ１２は、差込み片部８０を開口部Ｐ２に差し込み、差込み片部８０を開口部Ｐ１の最も奥側にまで差し込んだ状態（これを包装箱Ａを閉状態でロックした状態（包装箱Ａの閉ロック状態としてもよい）とする）（図４、図５の状態）では、突状部５４の下端が切欠部Ｐ２ａの上端よりも下方に突出して、正面視において、開口部Ｐ２から突状部５４が視認可能となっており、これにより、閉状態でロックされた包装箱Ａを開ける際に、突状部５４に指を係止させやすい。
【００８７】
また、包装箱Ａが閉状態でロックした状態では、底面視において、底フラップ４０ｂの一部が視認できる長さに形成され、これにより、包装箱Ａが閉状態でロックされた状態では、突状部５４の下方の空間が開放され、開口部Ｐ２内に指を下側から挿入することにより、指を突状部５４に係止させやすい。ただし、突状部５４は、底面部１０の下面から下方に突出してはいないので、突状部５４が包装箱Ａの載置面に接触することはなく、突状部５４が邪魔になることはない。
【００８８】
また、縁板部２４ｂが設けられているとともに、外側板部２２ｂと内側板部２６ｂ間に延設フラップ３２ａ、３４ａ、３２ｃ、３４ｃが設けられることにより、包装箱Ａの組立て状態において、外側板部２２ｂと内側板部２６ｂ間に隙間が形成されるので、回動片部５０と内側板部２６ｂ間にも隙間が形成され、これにより、回動片部５０の突状部５４に指を係止させやすい。
【００８９】
なお、包装箱Ａが閉状態でロックされた状態では、蓋正面部７４が、外側板部２２ｂと平行であり、外側板部２２ｂの外側の面に沿って配置され、蓋正面部７４の内側の面が外側板部２２ｂの外側の面に接した状態となっている。
【００９０】
包装箱Ａを図６に示す展開状態から組立て状態にするには、背面部２０ｄを底面部１０に対して立設させ、延設フラップ２２ｄ、２６ｄを背面部２０ｄに対して内側に折り曲げるとともに、延設フラップ２４ｄを延設フラップ２２ｄに対して内側に折り曲げ、延設フラップ２８ｄを延設フラップ２６ｄに対して内側に折り曲げる。
【００９１】
そして、内側板部２６ａを縁板部２４ａに対して折り曲げ、さらに、縁板部２４ａを外側板部２２ａに対して折り曲げて、外側板部２２ａと内側板部２６ａにより延設フラップ２２ｄ、２４ｄを挟んだ状態とし、突状部２６ａ−１を開口部１６ｃに係止させ、突状部２６ａ−２を開口部１６ｄに係止させる。これにより、外側板部２２ａと内側板部２６ａが互いに平行となり、底フラップ４０ａが底面部１０と平行で底面部１０に接した状態となる。
【００９２】
同様に、内側板部２６ｃを縁板部２４ｃに対して折り曲げ、さらに、縁板部２４ｃを外側板部２２ｃに対して折り曲げて、外側板部２２ｃと内側板部２６ｃにより延設フラップ２６ｄ、２８ｄを挟んだ状態とし、突状部２６ｃ−１を開口部１６ａに係止させ、突状部２６ｃ−２を開口部１６ｂに係止させる。これにより、外側板部２２ｃと内側板部２６ｃが互いに平行となり、底フラップ４０ｃが底面部１０と平行で底面部１０に接した状態となる。
【００９３】
その後、外側板部２２ｂを底面部１０に対して折り曲げ、さらに、縁板部２４ｂを外側板部２２ｂに対して折り曲げるとともに、内側板部２６ｂを縁板部２４ｂに対して折り曲げるとともに、延設フラップ３２ａ、３４ａ、３２ｃ、３４ｃに被せて、延設フラップ３２ａ、３４ａ、３２ｃ、３４ｃが外側板部２２ｂと内側板部２６ｂ間に挟まれた状態とする。そして、底フラップ４０ｂが底面部１０と平行に底面部１０と接するとともに、底フラップ４０ｂの先端側の辺部が底フラップ４０ａの正面側の辺部と底フラップ４０ｃの正面側の辺部とに当接した状態とする。これにより、外側板部２２ｂと内側板部２６ｂとは互いに平行となる。以上のようにして、箱本体部１が組み立てられ、包装箱Ａが組み立てられる。
【００９４】
なお、突状部２６ａ−１、２６ａ−２により、外側板部２２ａと内側板部２６ａ間に隙間が形成され、突状部２６ｃ−１、２６ｃ−２により、外側板部２２ｃと内側板部２６ｃ間に隙間が形成される。
【００９５】
次に、包装箱Ａの使用状態について説明する。包装箱Ａに被収納物を収納するには、図１に示すように、蓋部７０を箱本体部１に対して広く開けた状態とし、その状態で、箱本体部１内に被収納物を収納する。
【００９６】
そして、包装箱Ａを閉状態にするには、図１に示す状態から蓋部７０を箱本体部１側に回動させて、図２、図３に示す状態を経て、蓋本体部７２を箱本体部１に対して被せた状態とする。つまり、蓋本体部７２の内側の面が縁板部２４ａ、２４ｂ、２４ｃに接した状態とする。
【００９７】
そして、差込み片部８０を開口部Ｐ１内に挿入する。すなわち、差込み片部８０の先端を突状部１２ａ、１２ｂの内側に案内し、底面部１０の内側の面に沿って差込み片部８０を挿入する。これにより、差込み片部８０は、底面部１０と底フラップ４０ｂの間に挿入される。そして、差込み片部８０を開口部Ｐ１の最も奥側にまで差し込んだ状態とすることにより、差込み片部８０が箱本体部１と係合して、包装箱Ａが閉状態でロックされた状態となる。
【００９８】
次に、包装箱Ａの閉状態でロックされた状態から包装箱Ａを開状態とする場合には、開口部Ｐ２内に指を下側から挿入することにより、指を突状部５４に係止させる（図９参照）。そして、突状部５４に係止した指を正面側斜め上方に引くことにより、回動片部５０を本体部６０に対して正面側に回動させる。すると、回動片部５０が蓋正面部７４を内側から押すので、蓋正面部７４が蓋本体部７２に対して正面側に回動し、蓋正面部７４が回動するに伴い、差込み片部８０が底面部１０と底フラップ４０ｂ間の位置から引き出されて、開口部Ｐ１から引き出される（図１０参照）。これにより、差込み片部８０の箱本体部１との係合が解除される（つまり、ロックが解除される）ので、蓋本体部７２を背面部２０ｄに対して外側に回動させることにより、包装箱Ａを開状態とすることができる。
【００９９】
以上のように、包装箱Ａにおいては、回動片部５０の下端（すなわち、突状部５４の下端）に指を係止して、回動片部５０を回動させるのみで、差込み片部８０を開口部Ｐ１から引き出すことができるので、包装箱が閉状態でロックされた状態から容易に開状態とすることができる。
【０１００】
特に、回動片部５０は左右方向に形成された折れ線Ｃ２０を介して回動するので、回動片部５０を回動させることにより、左右均等に蓋正面部７４を回動させることができ（特に、回動片部５０の回動片部本体部５２が横長に形成されていることにより、左右均等に蓋正面部７４を回動させることができる）、よって、蓋正面部７４が前後方向及び上下方向に傾斜することがなく、従って、差込み片部８０も開口部Ｐ１から引き出す際に、前後方向に傾斜することがないので、差込み片部８０を左右均等に引き出すことができ、よって、差込み片部８０を容易に引き出すことができる。
【０１０１】
なお、上記の構成において、右側面側構成部Ａ１には、縁板部２４ａが設けられ、正面側構成部Ａ２には、縁板部２４ｂが設けられ、左側面側構成部Ａ３には、縁板部２４ｃが設けられているとしたが、縁板部２４ａ、２４ｂ、２４ｃの構成を省略したものでもよい。すなわち、外側板部２２ａから内側板部２６ａが連設され、外側板部２２ｂから内側板部２６ｂが連設され、外側板部２２ｃから内側板部２６ｃが連設された構成でもよい。
【符号の説明】
【０１０２】
Ａ  包装箱
１  箱本体部
１０  底面部
１４、Ｋ１０、Ｋ２０  切欠部
２０ａ  右側面部
２０ｂ  正面部
２０ｃ  左側面部
２０ｄ  背面部
２２ａ、２２ｂ、２２ｃ  外側板部
２４ａ、２４ｂ、２４ｃ  縁板部
２６ａ、２６ｂ、２６ｃ  内側板部
２２ｄ、２４ｄ、２６ｄ、２８ｄ、３２ａ、３４ａ、３２ｃ、３４ｃ  延設フラップ
４０ａ、４０ｂ、４０ｃ  底フラップ
５０  回動片部
５２  回動片部本体部
５４  突状部
６０  本体部
７０  蓋部
７２  蓋本体部
７４  蓋正面部
８０  差込み片部
Ａ１  右側面側構成部
Ａ２  正面側構成部
Ａ３  左側面側構成部
Ｐ１、Ｐ２  開口部
【図１】
0006013432.tif 000002
【図２】
0006013432.tif 000003
【図３】
0006013432.tif 000004
【図４】
0006013432.tif 000005
【図５】
0006013432.tif 000006
【図６】
0006013432.tif 000007
【図７】
0006013432.tif 000008
【図８】
0006013432.tif 000009
【図９】
0006013432.tif 000010
【図１０】
0006013432.tif 000011
【図１１】
0006013432.tif 000012
【図１２】
0006013432.tif 000013
【図１３】
0006013432.tif 000014